(57)【要約】【課題】本発明では添加剤等を加えることなくパルプスラッジを脱水し、再利用することを課題とする。【解決手段】上記課題を達成する本発明は、パルプスラッジ中のパルプスラッジの種類を入力し、その情報からパルプスラッジの種類に合致したフィルター部を有する回収箱を選択する装置と、パルプスラッジの種類に合致したフィルター部を有する複数の回収箱により構成される。【選択図】なし【特許請求の範囲】
【請求項１】
パルプスラッジ中のパルプスラッジの種類を入力し、その情報からパルプスラッジの種類に合致したフィルター部を有する回収箱を選択する装置と、パルプスラッジの種類に合致したフィルター部を有する複数の回収箱により構成されるパルプスラッジの脱水装置。
【発明の詳細な説明】
【技術分野】
【０００１】
本発明は、産業廃棄物であるパルプスラッジ中に含まれる固形分を脱水・回収する技術に関するものである。
【背景技術】
【０００２】
製紙工程において、パルプ叩解工程等のパルプ精選工程由来、または紙料調成後の抄紙工程由来の排水に含まれるパルプの残渣（以後、パルプスラッジと呼称する）は、繊維長等が製造する用紙の規格に合わないほど短いなどにより、紙として抄造されなかったものである。これらのパルプスラッジは、通常は適宜脱水処理される。
【０００３】
脱水処理としては、排水を沈殿槽に誘導し、パルプスラッジを沈殿させた後、余分な水を上澄みとして排出し、パルプスラッジを回収することが一般的である。この方法では沈殿と脱水に長時間を要するため、沈殿中または沈殿後に不純物が混入することや、沈殿後回収されるまでの間に腐敗等により性状が変質することにより、パルプスラッジを別の用途に転用することが困難となる。このため、脱水後のパルプスラッジは産業廃棄物としての紙くず、または汚泥として回収され、焼却または埋立処分されることが一般的である。
【０００４】
また、近年、上記性状変質を抑制し、パルプスラッジをより迅速に脱水する方法として、フェノール性の物質及びポリアルキレンオキシド凝集剤と混合して凝集させる方法（例えば、特許文献１参照）、特定のカチオン性構造単位から選択される一種を５〜１００モル％及び非イオン性構造単位を０〜９５モル％各々含有するカチオン性水溶性高分子と、特定のカチオン性構造単位から選択される一種を５〜７０モル％、アニオン性構造単位を５〜５０モル％各々含有する両性水溶性高分子との混合物と、アニオン性水溶性高分子を組み合わせて使用する方法（例えば、特許文献２参照）などが提案されている。
【先行技術文献】
【特許文献】
【０００５】
【特許文献１】特表２００２−５００１０４号公報
【特許文献２】特開２００３−１８１５００号公報
【発明の概要】
【発明が解決しようとする課題】
【０００６】
先行技術文献の方法は、いずれもパルプスラッジに添加剤を加えて含水率の低い脱水ケーキを得ることが目的であり、脱水ケーキの再利用については言及されていない。また、脱水のために凝集剤等の添加剤を使用することにより、元の製紙原料とは異なる成分になる。また、凝集剤を含むパルプスラッジから凝集剤を分離することは極めて困難である。また、凝集剤添加により凝集した脱水ケーキを離解させることも困難であるし、離解できても製紙原料として安定的なパルプ分散も困難であり、再利用の大きな障壁となる。そこで、本発明では、凝集剤等の添加剤を加えることなくパルプスラッジを脱水し、再利用することを課題とする。
【課題を解決するための手段】
【０００７】
上記課題を達成する本発明は、パルプスラッジ中のパルプスラッジの種類を入力し、その情報からパルプスラッジの種類に合致したフィルター部を有する回収箱を選択する装置と、パルプスラッジの種類に合致したフィルター部を有する複数の回収箱により構成される。
【発明の効果】
【０００８】
本発明により、添加剤等を加えることなくパルプスラッジを脱水し、固形分を再利用することが可能になる。
【発明を実施するための形態】
【０００９】
以下に本発明の実施形態を説明する。本発明で述べているパルプスラッジとは、製紙工場の製造工程や製紙工場の排水で発生する懸濁物のことである。
【００１０】
本発明は、パルプスラッジ中のパルプスラッジの種類を入力し、その情報からパルプスラッジの種類に合致したフィルター部を有する回収箱を選択する装置と、パルプスラッジの種類に合致したフィルター部を有する複数の回収箱により構成される。
【００１１】
パルプスラッジ中の固形分の回収にあたり、オペレーターはパルプスラッジ中のパルプスラッジの種類をパルプスラッジの種類に合致したフィルター部を有する回収箱を選択する装置に入力する。パルプスラッジの種類に合致したフィルター部を有する回収箱を選択する装置への入力手段は、コンピュータ用のキーボード等が利用できる。
【００１２】
パルプスラッジの種類を入力し、その情報からパルプスラッジの種類に合致したフィルター部を有する回収箱を選択する装置は、パルプスラッジの種類に合致するフィルター部を有する回収箱を選択する。選択した回収箱にパルプスラッジを流す方法については、回収箱別に通水経路を選択する方法、例えば弁装置による通水経路を変更する方法などが好ましく利用できる。パルプスラッジの種類に合致したフィルター部を有する回収箱を選択する装置がパルプスラッジの種類に合致するフィルター部を有する回収箱への流水経路を設定後、パルプスラッジの通水を開始する。
【００１３】
パルプスラッジの種類に合致したフィルター部を有する複数の回収箱は、回収箱の側面にフィルター部を有する。パルプスラッジの種類は、含まれるパルプの繊維長により選別される。針葉樹系パルプの場合は繊維長が長いため、側板のフィルター部の開口部１つの大きさは、縦横とも１．５ｍｍ程度の正方形とすることが好ましい。これはＪＩＳ  Ｇ  ３５５５で規定される織金網ではメッシュ１０〜１６、開目１．３５〜１．６５ｍｍの織金網が該当する。広葉樹系パルプの場合は繊維長が短いため、側板のフィルター部の開口部１つの大きさは、縦横０．６ｍｍ程度の正方形とすることが好ましい。これはＪＩＳ  Ｇ  ３５５５で規定される織金網ではメッシュ２４〜３０、開目０．５５〜０．６５ｍｍの織金網が該当する。古紙パルプの場合は、繊維長が通常広葉樹系パルプより短いため、側板のフィルター部の開口部１つの大きさは、縦横０．４ｍｍ程度の正方形とすることが好ましい。これはＪＩＳ  Ｇ  ３５５５で規定される織金網ではメッシュ３０〜５０、開目０．３５〜０．４５ｍｍの織金網が該当する。
【００１４】
また、上記針葉樹系パルプ、広葉樹系パルプ、古紙パルプの少なくとも２種以上が含まれるパルプスラッジの場合には、パルプ繊維長が最も短いパルプの種類、例えば針葉樹系パルプと広葉樹系パルプを含むパルプスラッジであれば広葉樹系パルプ、に合致するフィルター部を有する回収箱を選択するようにするか、またはフィルター部のメッシュ（開目）は当該パルプスラッジに含まれるパルプ繊維長が最も短いパルプの種類に合致させるも、パルプ繊維長が最も短いパルプの種類単一の回収箱とは個別に専用の回収箱を選択するようにしても良い。
【００１５】
填料としてパルプスラッジ中に含まれる炭酸カルシウム、カオリン、シリカ、アルミナ、二酸化チタン等の無機成分は、パルプの大きさと比較してはるかに小さく、本発明による回収箱の有するフィルターを通過してしまう。このため、填料を回収して有効活用する場合は、回収箱を通過した排水を再度回収し、特開２００７−０１５８７４号公報、特開２００５−３２９３９２号公報に示されるような方法により回収を行うことが好ましい。
【００１６】
本発明に使用する回収箱は、水分を含む固形分を収容することから、腐食や錆が発生しない処置を行うか、腐食や錆が発生しにくい材質から形成されることが好ましい。方法としては、プラスチック材やステンレス材にて回収箱の各部材を製作する方法や、各部材に錆止め塗装を行う方法、耐食性のあるめっき処理を材料に施すことが好ましい。
【００１７】
パルプスラッジ中のパルプ濃度は非常に低く、またパルプの比重は水と殆ど変わらず、脱水が進行しないため、回収箱にパルプスラッジを投入した後は、回収箱内をフィルタープレスするか、または遠心分離を行う等により機械的な脱水処理を行っても良い。
【００１８】
脱水回収した固形分中には、パルプ繊維と填料が含まれる。回収した固形分中のパルプ等有機成分を主として利用する場合は、段ボール原料や容器等の整形物、紙粘土等の原料等に利用する。またはボイラ等の燃料として熱リサイクルすることが好ましい。固形分を回収した後の排水から填料の回収を行う場合は、填料に適合する添加剤等を別途加え、凝集させる等の方法で回収することが好ましい。